(57)【要約】【課題】意匠性に優れ、また種々の機能を組み合わせることができるリモコン装置を提供する。【解決手段】リモコン本体２０，３０，４０は、ブラケット２０Ａ，３０Ａ，４０Ａに着脱自在であると共に、ピン３３，４３とピン差込孔２８，２９との係合により相互に連結可能でもある。リモコン本体２０，３０，４０を連結した後、枠体６０を装着してもよい。ブラケット３０Ａ，４０Ａにはピン受容穴３４，４４が設けられている。【選択図】  図２
2005012547.tif 000002
【特許請求の範囲】
【請求項１】
前面に操作スイッチを有した盤状のリモコン本体と、該リモコン本体が嵌合されるブラケットとを備えてなるリモコン装置において、
該リモコン本体の一側端面に、他のリモコン本体との係合用凸部が設けられており、
該ブラケットは、該係合用凸部を受容する受容部を有することを特徴とするリモコン装置。
【請求項２】
請求項１において、該リモコン本体の他側面に、他のリモコン本体の係合用凸部が係合する係合用凹部が設けられていることを特徴とするリモコン装置。
【請求項３】
それぞれ前面に操作スイッチを備えた盤状のリモコン本体が複数個連結されたリモコン装置において、
第１のリモコン本体の一側端面には、複数の第２のリモコン本体が連結されるように複数の係合用凹部が設けられ、各第２のリモコン本体の一側端面には、それぞれ、第１のリモコン本体の該係合用凹部と係合する係合用凸部が設けられていることを特徴とするリモコン装置。
【請求項４】
請求項３において、該リモコン本体の連結体は正面視形状が方形であることを特徴とするリモコン装置。
【請求項５】
請求項３又は４において、該リモコン装置は、該連結体の外周を囲む枠体を有することを特徴とするリモコン装置。
【請求項６】
前面に操作スイッチを有した方形盤状のリモコン本体が複数個連結されると共に、さらに方形盤状のダミー体が連結されることにより、正面視形状が方形の連結体を形成していることを特徴とするリモコン装置。
【請求項７】
請求項６において、該ダミー体は、リモコン以外の電装品を有することを特徴とするリモコン装置。
【請求項８】
請求項６又は７において、該ダミー体は、トイレルーム用装飾体を有することを特徴とするリモコン装置。
【請求項９】
請求項６ないし８のいずれか１項において、方形の該連結体の外周を囲む枠体を有することを特徴とするリモコン装置。
【発明の詳細な説明】
【０００１】
【発明の属する技術分野】
本発明は、被操作機器を遠隔操作するためのリモコン装置に係り、例えば洋風便器に設けられた温水洗浄装置等のトイレ電装品を操作するのに好適なリモコン装置に関する。
【０００２】
【従来の技術】
温水洗浄装置は、周知の通り、洋風便器に着座した人体の臀部に温水を噴射してその洗浄を行うものであり、濡れた臀部を乾かすための温風乾燥装置や便鉢内の臭気含有空気を除臭処理するための脱臭装置等を付帯することもある。
【０００３】
また、トイレの電装品としては、便座や便蓋をスイッチ操作によって開閉する開閉装置；便座ボックスやタンクカバーを上下動させ、それらの下面側の洋風便器上面を清掃し易くするための昇降装置；暖房便座；トイレ用エアコンなどがある。
【０００４】
各電装品をリモートコントロールするためのリモコン装置に上記のすべての電装品用のスイッチを設けたのでは、リモコン装置が徒に大型化してしまう。トイレルームに設置された電装品用のスイッチのみをリモコン装置に具備させる場合には、電装品の組み合わせに応じたスイッチ組合せを有するリモコン装置を製作する必要があり、リモコン装置の種類が著しく増えてしまう。
【０００５】
このような問題に対処するものとして、特開平１０−３１７４６２号及び実開平７−７２８９号には、複数のリモコン同士を嵌め合い方式により着脱可能に連結し、複数種類のリモコンを組み合わせ得るようにしたリモコン装置が記載されている。
【０００６】
【特許文献１】
特開平１０−３１７４６２号公報
【特許文献２】
実開平７−７２８９号公報
【０００７】
【発明が解決しようとする課題】
上記特開平１０−３１７４６２号及び実開平７−７２８９号のリモコン装置にあっては、個々のリモコンに分離したときにこれを単品として壁面に取り付けることができない。また、嵌め合い用の係合部がすべて露見し、見栄えが良くない。
【０００８】
実開平７−７２８９号のリモコン装置にあっては、発光素子部と複数のキー操作部とを連結した連結体の正面視形状が非方形（例えばＬ字形、Ｔ字形）であり、意匠上、まとまり感を欠く。
【０００９】
本発明は、単品に分離したときでも壁面に容易に取り付けることができ、また見栄えも良好なリモコン装置を提供することを目的とする。
【００１０】
また、本発明は、複数個のリモコンを連結したときの見栄えが良好なリモコン装置を提供することを目的とする。
【００１１】
【課題を解決するための手段】
本発明（請求項１）のリモコン装置は、前面に操作スイッチを有した盤状のリモコン本体と、該リモコン本体が嵌合されるブラケットとを備えてなるリモコン装置において、該リモコン本体の一側端面に、他のリモコン本体との係合用凸部が設けられており、該ブラケットは、該係合用凸部を受容する受容部を有することを特徴とするものである。
【００１２】
かかるリモコン装置は、ブラケットを壁面に固定することにより、リモコン本体を壁面に取り付けることができる。このブラケットには、リモコン本体の係合用凸部を受容する受容部が設けられているので、該係合用凸部を隠蔽し、美観を高めることができる。
【００１３】
この場合、リモコン本体の他側面に、他のリモコン本体の係合用凸部が係合する係合用凹部を設けておくことにより（請求項２）、リモコン本体同士を連結することができる。
【００１４】
本発明（請求項３）のリモコン装置は、それぞれ前面に操作スイッチを備えた盤状のリモコン本体が複数個連結されたリモコン装置において、第１のリモコン本体の一側端面には、複数の第２のリモコン本体が連結されるように複数の係合用凹部が設けられ、各第２のリモコン本体の一側端面には、それぞれ、第１のリモコン本体の該係合用凹部と係合する係合用凸部が設けられていることを特徴とするものである。
【００１５】
かかるリモコン装置によると、第１のリモコン本体の一側端面に対し複数個の第２のリモコン本体を連結することができる。
【００１６】
この場合、リモコン本体の連結体は正面視形状が方形であり（請求項４）、リモコン装置が該連結体の外周を囲む枠体を有する構成（請求項５）とすることにより、リモコン装置の外観上の見栄えを著しく良好なものとすることができる。
【００１７】
本発明（請求項６）のリモコン装置は、前面に操作スイッチを有した方形盤状のリモコン本体が複数個連結されると共に、さらに方形盤状のダミー体が連結されることにより、正面視形状が方形の連結体を形成していることを特徴とするものである。
【００１８】
かかるリモコン装置も、正面視形状が方形であり、外観上の見栄えが良好である。この請求項６のリモコン装置は、リモコン本体のみを連結しても方形にはならない場合に採用されるものであり、リモコン本体の組み合わせ自由度が高い。
【００１９】
このダミー体に、リモコン以外の電装品を設ける（請求項７）ことにより、リモコン装置の機能を高めることができる。このリモコン以外の電装品としては、電気式の時計、１００Ｖアダプター、電池ボックス、電池、ラジオ、テレビ、ＣＤ又はＭＤプレーヤー、スピーカー、照明などが例示される。
【００２０】
ダミー体は、トイレルーム用装飾体を有してもよい（請求項８）。この装飾体としては、ミラー、額縁などが例示される。
【００２１】
請求項６〜８のリモコン装置においても、方形の連結体の外周を囲む枠体を設ける（請求項９）ことにより、リモコン装置の美観を高めることができる。
【００２２】
【発明の実施の形態】
以下、図面を参照して実施の形態について説明する。図１（ａ），（ｂ），（ｃ）は実施の形態に係るリモコン装置の個々のリモコン本体を示す斜視図、図２はこのリモコン装置の連結途中の分解斜視図、図３は各リモコン本体同士を連結して枠体を装着したリモコン装置の正面斜視図である。
【００２３】
このリモコン装置は、洋風便器の温水洗浄装置等の電装品をリモートコントロールするためのものである。この洋風便器には、温水洗浄装置と、電動式フラッシュ装置と、電動式便座開閉装置とが設けられている。
【００２４】
この温水洗浄装置には、シャワー（肛門）洗浄装置、チャーム（ビデ）洗浄装置、温風乾燥装置が設けられている。
【００２５】
電動式フラッシュ装置は、ロータンクのフロート弁を引き上げてロータンク内の水を洋風便器の便鉢に流出させるよう構成されたものであり、フロート弁を所定高さまで引き上げてロータンク内の水の略全量を放出する大洗浄と、フロート弁を短時間だけ少しだけ引き上げて少量の水を便鉢に流出させる小洗浄とを行うよう構成されている。
【００２６】
便座開閉装置は、便座開信号を受けて便座を起立回動させ、便座閉信号を受けて便座を倒伏回動させるよう構成されている。
【００２７】
このリモコン装置１０は、シャワー系リモコン本体２０、フラッシュ用リモコン本体３０及び便座用リモコン本体４０とを備えてなる。各リモコン本体２０，３０，４０は、合成樹脂製のケーシングを有し、各々の前面にスイッチが設けられている。
【００２８】
シャワー系リモコン本体２０は、前面に肛門洗浄用シャワースイッチ２１と、ビデ用チャームスイッチ２２と、洗浄後に臀部を温風乾燥するための乾燥スイッチ２３と、シャワー洗浄、チャーム洗浄又は温風乾燥を停止させるストップスイッチ２４と、温水の水量を増減させるための洗浄強さ調節スイッチ２５と、洗浄ノズル前進限位置を調節する洗浄位置調節スイッチ２６と、洗浄ノズルを前後往復動させて洗浄領域を拡大するワイド洗浄の入／切スイッチ２７とを備えている。
【００２９】
なお、乾燥スイッチ２３は、１回押す度に温風温度が高→中→低の順に繰り返し切り替わるよう構成されている。
【００３０】
このシャワー系リモコン本体２０は、長方形盤状の外形を有し、その上面には係合用凹部として１対のピン差込孔２８，２８及び１対のピン差込孔２９，２９が設けられている。
【００３１】
フラッシュ用リモコン本体３０は、洋風便器の大使用後に多量の水を便鉢に流すための大フラッシュスイッチ３１と、小使用後に少量の水を便鉢に流すための小フラッシュスイッチ３２とを前面に備えている。このフラッシュ用リモコン本体３０は正方形盤状の外観を有し、その底面からは係合用凸部として１対のピン３３，３３が突設されている。
【００３２】
便座用リモコン本体４０は、前面に便座開閉用スイッチ４１を備えている。この便座用リモコン本体４０は、フラッシュ用リモコン本体３０と同一大きさの正方形盤状のものであり、その底面からは係合用凸部として１対のピン４３，４３が突設されている。
【００３３】
各リモコン本体２０，３０，４０には、各スイッチからのスイッチ信号に応じて赤外線コマンド信号を出力するように信号処理回路及び赤外線発光素子並びに電池が設けられている。
【００３４】
各リモコン本体２０，３０，４０は、それぞれブラケット２０Ａ，３０Ａ，４０Ａに着脱自在とされている。ブラケット３０Ａ，４０Ａには、ピン３３，４３が挿入される受容部としてのピン受容穴３４，４４が設けられている。なお、この実施の形態では、リモコン本体２０，３０，４０は、ブラケット２０Ａ，３０Ａ，４０Ａに図の上方から嵌合されるようになっており、この嵌合時にピン３３，４３がピン受容穴３４，４４に差し込まれる。
【００３５】
各ブラケット２０Ａ，３０Ａ，４０Ａは、ビス、両面テープ、平面ファスナ等の取付手段によって壁面に取り付け可能とされている。各リモコン本体２０，３０，４０は、各ブラケット２０Ａ，３０Ａ，４０Ａを介して壁面に取り付け可能である。
【００３６】
各リモコン本体２０，３０，４０は、図２，３の如く合体してリモコン装置１０を構成可能とされている。各リモコン本体２０〜４０を合体させるには、リモコン本体３０，４０をブラケット３０Ａ，４０Ａから抜き出し、リモコン本体３０，４０のピン３３，４３をリモコン本体２０のピン差込孔２８，２８及びピン差込孔２９，２９に差し込む。なお、各リモコン本体３０，４０のピン３３，３３の間隔、ピン４３，４３の間隔、ピン差込孔２８，２８の間隔、ピン差込孔２９，２９の間隔はいずれも同一であり、ピン３３，４３はピン差込孔２８，２９のいずれにも差し込み可能である。
【００３７】
また、リモコン本体２０の左右幅はリモコン本体３０，４０の左右幅の２倍となっており、リモコン本体３０，４０のピン３３，４３をリモコン本体２０のピン差込孔２８，２９に差し込んでリモコン本体２０，３０，４０を合体させると、一枚の方形盤状の連結体が構成される。
【００３８】
図２の実施の形態では、この連結体を背板５０及び枠体６０によって包囲するよう構成している。背板５０は、方形板状の背板本体５１の周縁から、連結体の外周と同一大きさの囲壁５２が立設されたものであり、囲壁５２の内側スペースに連結体が嵌合される。枠体６０は、この囲壁５２の外周を取り巻く方形枠状のものである。この枠体６０の前縁には、連結体の前面の周縁を押えるための張出部６１が設けられている。
【００３９】
背板５０の囲壁５２の外面と、枠体６０の内面とには、爪係止部５３、爪部６３が設けられており、図４の如く枠体６０を背板５０に嵌合させると、これらの爪係止部５３と爪部６３とが係合することにより、枠体６０と背板５０とが結合される。
【００４０】
この背板５０は、ビス、両面テープ、平面ファスナ等によって壁面に固定され、リモコン本体２０，３０，４０の連結体もこれにより壁面に取り付けられる。
【００４１】
このように構成されたリモコン装置においては、図２に示すように種々のリモコン本体を連結して一体化することができ、便器に設置された電装品の種類に応じてリモコン本体を組み合わせることができる。このリモコン本体２０，３０，４０の連結体は、前面から見た正面視形状が方形であり、見栄えが良い。また、この連結体に対し枠体６０を装着して意匠上のまとまり感を高めており、著しく美観に優れる。
【００４２】
このリモコン装置にあっては、個々のリモコン本体２０，３０，４０に分け、必要に応じ、それらをブラケット２０Ａ，３０Ａ，４０Ａに嵌合させて使用することもできる。このように個々のリモコン本体に分けた場合、リモコン本体３０，４０にあってはピン３３，４３がブラケット３０Ａ，４０Ａによって隠蔽されるので、美観が良好である。
【００４３】
この実施の形態では、シャワー系リモコン本体２０に対しフラッシュ用リモコン本体３０と便座用リモコン本体４０とを結合しているが、便蓋開閉用のリモコン本体、トイレエアコン用リモコン本体など、他のリモコン本体を結合してもよい。シャワー系リモコン本体２０にもさらに別のスイッチが設けられてもよい。
【００４４】
図１〜３ではリモコン本体同士のみを結合しているが、一部のリモコン本体の代りに、それと同一大きさのダミー体を設けてもよい。
【００４５】
図４は、図３のリモコン装置１０において、便座用リモコン本体４０の代りに時計付きダミー体７０を設置したリモコン装置の斜視図である。７１は時刻を表示する液晶パネルを示す。このダミー体７０のケーシング及び各リモコン本体４０のケーシングは同色となっている。
【００４６】
このダミー体７０が無ければ、背板５０が丸見えになり、美観が著しく悪化してしまうが、このダミー体７０により連結体が一体の方形盤状にまとまり、背板５０は見えず、美観が良好となる。特にこの実施の形態では、このダミー体７０は、液晶パネル以外の前面が他のリモコン本体２０，３０と同色の合成樹脂にて構成されており、外観上のまとまり感に優れ、意匠性に優れる。
【００４７】
この実施の形態では、ダミー体として時計付きダミー体７０が用いられているが、１００Ｖアダプター、電池ボックス、電池、スピーカー、ラジオ、テレビ、ＣＤ又はＭＤプレーヤー、照明など他の機器を搭載したダミー体を用いてもよく、ミラー、額縁などの装飾体を備えたダミー体を用いてもよい。
【００４８】
上記実施の形態では枠体６０を用いているが、連結体が方形盤状であり、それだけでも一応のまとまり感を有しているところから、図５のリモコン装置１０Ｂのようにシャワー系リモコン本体２０にブラケット２０Ａを装着し、このブラケット２０Ａを壁面に取り付けるようにしてもよい。図５では、リモコン本体２０，３０，４０の連結体が採用されているが、別のリモコン本体が採用されてもよく、一部のリモコン本体がダミー体であってもよい。
【００４９】
上記実施の形態のリモコン装置はトイレルーム用のものであるが、これに限定されるものではにない。
【００５０】
【発明の効果】
以上の通り、本発明によると、意匠性に優れ、また種々の機能を組み合わせることができるリモコン装置が提供される。
【図面の簡単な説明】
【図１】実施の形態に係るリモコン装置の個々のリモコン本体を示す斜視図である。
【図２】図１のリモコン装置の連結途中の分解斜視図である。
【図３】各リモコン本体同士を連結して枠体を装着したリモコン装置の正面斜視図である。
【図４】別の実施の形態に係るリモコン装置の斜視図である。
【図５】さらに別の実施の形態に係るリモコン装置の斜視図である。
【符号の説明】
１０，１０Ａ，１０Ｂ  リモコン装置
２０  シャワー系リモコン本体
３０  フラッシュ用リモコン本体
４０  便座用リモコン本体
２０Ａ，３０Ａ，４０Ａ  ブラケット
２８，２９  ピン差込孔（係合用凹部）
３３，４３  ピン（係合用凸部）
３４，４４  ピン受容穴（受容部）
５０  背板
６０  枠体
７０  ダミー体
【図１】
2005012547.tif 000003
【図２】
2005012547.tif 000004
【図３】
2005012547.tif 000005
【図４】
2005012547.tif 000006
【図５】
2005012547.tif 000007